(57)【要約】デジタルの接続位置検出装置を有する電気スイッチ（１）は、個々のコードトラック（Ａ，Ｂ，Ｃ）に付設されたスイッチ接点を接触させるための接続手段（２）を有し、その際、この接続手段によって、異なった接続位置で、総和が異なったスイッチ接点が接触させられており、また、この接続手段（２）によって接触させられたスイッチ接点のタップが、評価ユニット（９）に作用するように構成されており、少なくともいくつかの接続位置における接続手段（２）の位置に依存して、レベル電圧が、この接続位置を付加的に識別するために異なった値を備えることによって設定されている。
2004519173.tif 000002
【特許請求の範囲】
【請求項１】
デジタルの接続位置検出装置を有する電気スイッチであって、この電気スイッチが、個々のコードトラック（Ａ，Ｂ，Ｃ）に付設されたスイッチ接点を接触させるための接続手段（２）を有し、その際、この接続手段によって、異なった接続位置で、総和が異なったスイッチ接点が接触させられており、また、この接続手段（２）によって接触させられたスイッチ接点のタップが、評価ユニット（９）に作用するように構成されているスイッチにおいて、
少なくともいくつかの接続位置における接続手段（２）の位置に依存して、レベル電圧が、この接続位置を付加的に識別するために異なった値を備えることを特徴とするスイッチ。
【請求項２】
レベルトラックライン（Ａ２〜Ａ６）に異なったレベル電圧を提供するために、異なるようにコード化されたそれぞれ１つのプルダウン抵抗（Ｗ２ 〜Ｗ６ ）が接続させられており、付設されたプルアップ抵抗が評価ユニットにおいて統合されていることを特徴とする請求項１に記載のスイッチ。
【請求項３】
異なったレベル電圧を提供するために、一貫したポテンショメータ回路が、その一方の端部でもってグランド電位ＧＮＤと、またその他方の端部でもって作動電位Ｖｃｃと接続されているレベルトラックＰとして使用されていることを特徴とする請求項１に記載のスイッチ。
【請求項４】
個々のスイッチ接点のタップライン（３，４，５）が、記憶モジュール（８）を有するプロセッサユニット（７）の入力側に接続されているＡ／Ｄコンバータ（６）に作用し、その際、記憶モジュール（８）には、異なった接続位置を特徴付けるレベル電圧が、レベル電圧インターバルの形で記憶されていることを特徴とする請求項１〜３のいずれか１つに記載のスイッチ。
【請求項５】
スイッチが、ｎ個の接続位置を備え、ｎ−１個の接続位置が、それぞれ異なったレベル電圧によって特徴付けられており、これらのレベル電圧が、それぞれ最大のレベル電圧よりも小さいことを特徴とする請求項１〜４のいずれか１つに記載のスイッチ。
【請求項６】
デジタル「０」が、付加的にアナログで、異なったスイッチ位置における異なったレベル電圧によってコード化されていることを特徴とする請求項１〜５のいずれか１つに記載のスイッチ。
【請求項７】
デジタル「１」が、付加的にアナログで、異なったスイッチ位置における異なったレベル圧力によってコード化されていることを特徴とする請求項１〜６のいずれか１つに記載のスイッチ。
【発明の詳細な説明】
【０００１】
本発明は、デジタルの接続位置検出装置を有する電気スイッチであって、この電気スイッチが、個々のコードトラックに付設されたスイッチ接点を接触させるための接続手段を有し、その際、この接続手段によって、異なった接続位置で、総和が異なったスイッチ接点が接触させられており、また、この接続手段によって接触させられたスイッチ接点のタップが、評価ユニットに作用するように構成されているスイッチに関する。
【０００２】
異なった接続位置へともたらすことができる電気スイッチが公知である。自動車の範囲内で、このようなスイッチは、例えば、シフトレバーに、又はクルーズコントロール装置にも、付設されている。このスイッチは、接続手段として少なくとも１つのスライダを有し、このスライダは、複数のコードトラックにわたって延在する。コードトラックは、個々のスイッチ接点を担持し、その際、接続手段の異なった位置で、従って、異なったスライダ位置で、総和が異なった個々のコードトラックのスイッチ接点が、接続手段によって接触させられているように構成されている。個々のスイッチ位置は、接続手段の位置に依存してスイッチ接点が接触させられているか、又は接触させられていないかということによって互いに識別可能である。相応に、このようなスイッチ接点の評価は、デジタル「０」として、又はデジタル「１」として行なわれる。個々のコードトラックにおけるスイッチ接点を相応に組み合わせることによって、電気スイッチの個々のスイッチ位置は、接触させられたスイッチ接点と接触させられてないスイッチ接点との間のそれぞれの組合せが、１度しか異なったスイッチ位置で限定されてないことによって互いに識別可能である。
【０００３】
個々のスイッチ接点は、それぞれ１つのタップラインを介して評価ユニットと接続されており、この評価ユニットは、スイッチ接点を読み取って評価するための権限を接続位置に依存して有する。その際、認識されたスイッチ位置に依存して、プロセッサユニットによって、１つ又は複数のアクチュエータを制御するための相応の信号が発生させられる。
【０００４】
また、このような電気スイッチが基本的に満足させるように機能化され、簡単な手段で確立可能である場合も、接続手段とのスイッチ接点の接触が不十分にしか行なわれない場合に、例えば接触箇所が汚れている場合に、一義的な接続位置の認識に関する問題が生じてしまう。このような場合は、不完全な接触に基づいて接触抵抗が大きいため、評価側で検出されたレベル電圧が所定の限界値の下に位置し、従って、正確でない接続位置の検出が行なわれ、その際、読み取り結果自体がエラーとなっているとは認識可能でない。相応のことが、同様にラインの断絶が生じた場合にも当てはまる。
【０００５】
従って、確実な接続位置の検出が、特にエラーの検出に関しても可能である電気スイッチを提供する要望がある。
【０００６】
従って、本発明の課題は、冒頭で述べた電気スイッチを、このスイッチでもって確実な接続位置の検出がエラーの検出を含めて可能であるように発展させることである。
【０００７】
この課題は、本発明によれば、少なくともいくつかの接続位置における接続手段の位置に依存して、レベル電圧が、この接続位置を付加的に識別するために異なった値を備えることによって解決される。
本発明による電気スイッチでは、レベル電圧が、異なったスイッチ位置で一定ではなく、異なったスイッチ位置の付加的な識別基準として使用されるように構成されている。このような付加的なスイッチ位置のコード化の利点は、基本的にそれぞれのスイッチ位置が最初にデジタルでコード化されている点にある。付加的な、また基本的に冗長な情報によって、スイッチ位置の評価がエラーの存在に関して可能である。何故なら、あるスイッチ位置で接触させられたスイッチ接点のレベル電圧がアナログで評価され、このレベル電圧がそれぞれのスイッチ位置で異なっているからである。従って、簡単な方法で、そのスイッチ位置が冗長にデジタル及びアナログのコード化によって評価することができる電気スイッチが提供されている。履行されるアナログの評価によって、エラーの認識が可能である。
【０００８】
このような電気スイッチでは、異なったレベル電圧によって、デジタル「０」が個々のレベル電圧に分配されるか、有効な様式ではレベル電圧インターバルが実現すべきスイッチ位置の数に応じて分配されるかのいずれかに構成することができる。その際、デジタル「１」は、そのレベル電圧に関して一定とすることができる。相応に、このような電気スイッチは、逆転させることも又は組合せから構成することもできる。
【０００９】
異なったスイッチ位置に異なったレベル電圧を提供するために、本発明の第１の形態にあっては、レベルトラックに、異なるようにコード化されたそれぞれ１つのプルダウン抵抗が接続されているように構成されている。第２の実施形にあっては、レベルトラックラインを、その一方の端部でもって作動電位Ｖｃｃと、またその他方の端部でもってグランド電位ＧＮＤと接続されている連続的なポテンショメータ回路として実現するように構成されている。このようなレベル電圧の提供は、特に簡単な方法で実現可能である。個々のスイッチ接点のタップは、プロセッサユニットの入力側に接続されているＡ／Ｄコンバータに作用する。プロセッサユニットには、記憶モジュールが付設されており、この記憶モジュールにおいて、異なった接続位置を特徴付けるレベル電圧もしくはレベル電圧インターバルが記憶されている。
【００１０】
以下に、本発明を、添付の図に関連付けた実施例を基にして説明する。
【００１１】
図１から分かるように、電気スイッチ１は、接続手段としてスライダ２を有し、このスライダは、その接点でもって、電気スイッチ接点を有する３つのデジタルコードトラックＡ，Ｂ，Ｃ上に位置し、このコードトラックに相対して可動である。図示されたスイッチは、理論的に、８つの異なった接続位置へと移動可能である。象徴化して、この図では、黒い箱でもって、スライダ２によって個々のスイッチ位置で接続されているそのスイッチ接点が再現されている。スライダ２によって接触させられてないスイッチ接点は、充実してない箱として特徴付けられている。それぞれのスイッチ位置では、スライダ２が、レベルトラックＰと接触させられている。電気スイッチ１のデジタルのコード化は、充実した箱がデジタル「０」を、充実してない箱がデジタル「１」を意味するように構想されている。従って、図示された電気スイッチ１の場合、デジタル「１」は一定であり、デジタル「０」は付加的にアナログでコード化された変数と見なすことができる。実際、電気スイッチ１の場合、接続位置１〜６だけが利用され、例えば、スイッチ位置１〜６の１つの読取り結果としてたまたま使用してないスイッチ位置７を検出することは、ラインの断絶を示す。
【００１２】
スライダ２が、３つ全てのコードトラックＡ，Ｂ，Ｃのスイッチ接点と接触させられており、従って、これらのスイッチ接点を、全部がデジタル「０」として読み取ることができるために、いかなるレベル電圧も検出可能でないスイッチ位置０から出発して、別のスイッチ位置では、デジタルコードトラックＡ，Ｂ，Ｃの総和が異なったスイッチ接点のそれぞれ１つの異なった接触が行なわれる。
【００１３】
スイッチ位置７では、コードトラックＡ，Ｂ，Ｃのいかなるスイッチ接点も接触させられず、従って、この位置では、全部のコードトラックＡ，Ｂ，Ｃが、デジタル「１」として認識される。いずれのスイッチ位置でも、スライダ２は、そのレベルトラックＰに関して異なったレベルトラック分岐Ａ１ 〜Ａ８ に接続されている。コードトラックＡ，Ｂ，Ｃのスイッチ接点は、それぞれ１つのタップライン３，４，５を介してＡ／Ｄコンバータ６に接続されており、このＡ／Ｄコンバータは、同様にＧＮＤラインによって作用を受けており、このＧＮＤラインには、レベルトラック分岐Ａ１ 〜Ａ８ が接続されている。レベルトラック分岐Ａ１ 〜Ａ６ には、それぞれ１つの異なったプルダウン抵抗Ｗ１ 〜Ｗ６ が接続されており、従って、タップライン３，４，５でそれぞれ読み取られるレベル電圧は、スイッチ位置の抵抗Ｗ１ 〜Ｗ６ のコード化に依存して異なっている。必要なプルアップ抵抗は、後続の評価ユニットに付設されている。
【００１４】
図２に図示された実施形でも、電気スイッチ１が接続手段としてスライダ２を有し、このスライダは、その接点でもって、電気スイッチ接点を有するデジタルコードトラックＡ，Ｂ，Ｃ並びにレベルトラックＰ上に位置し、異なった接続位置に移動可能である。接触させられたスイッチ接点及び接触させられてないスイッチ接点のシンボル化は、図１においてのように、充実した箱及び充実してない箱によって再現されており、電気スイッチ１のデジタルのコード化は、ここでも、充実した箱がデジタル「０」を、また充実してない箱がデジタル「１」を意味するように構想されている。図１による実施形に対する本質的な相違点は、ここではレベル電圧Ｐとして、一貫したポテンショメータ回路が使用されており、このポテンショメータ回路が、接続位置０の近傍に存在するその一方の端部でもってグランド電位ＧＮＤと接続されており、また、接続位置７の近傍に存在するその他方の端部でもって作動電位Ｖｃｃと接続されている点にある。いずれの中間位置でも、ポテンショメータ回路によって電位が使用可能にされ、スライダ２によって、それぞれ接触させられたコードトラックＡ，Ｂ，Ｃのスイッチ接点に伝達され、この電位は、これら両方の値（ここでは例えば０及び５ボルト）の間に位置し、そのそれぞれの値は、ポテンショメータ回路の端部のタップポイントの間隔から得られる。従って、接続位置に付属する電圧値は、スライダがスイッチ接点上に位置する場所に依存し、しかしながら、これは、いずれにしてもインターバルとして予め与えられたレベル値によって容易に検出することができる。コードトラックＡ，Ｂ，Ｃのタップライン３，４，５におけるプルアップ抵抗１０によって、接触させられてないコードトラックがそれぞれ１つのレベル＞４．７５ボルトを備えることが保証されている。この構成と結びついた利点は、特に、プルダウン抵抗を低減する点に、並びにスライダの接触抵抗に依存しない点にある。
【００１５】
以下に再現されたテーブルは、５Ｖの作動電圧の場合にスイッチ位置を限定するために読み取られるレベル電圧の値の範囲を示す：
2004519173.tif 000003
【００１６】
Ａ／Ｄコンバータ６は、プロセッサユニット７の入力側に接続されており、このプロセッサユニットには、記憶モジュール８が付設されており、この記憶モジュールにおいて、レベルインターバルが、異なったスイッチ位置を特徴付けるために登録されている。この方法で、スイッチ位置を評価する際に、デジタルのコード以外に、デジタルの接続位置の検出結果のチェックが、検出されたレベル電圧を基にして行なわれる。評価ユニットは、この図では、全体を符号９で特徴付けられている。
【００１７】
本発明の説明から、説明した電気スイッチにより、簡単な手段を使用して、接続位置の検出が冗長な様式及び方法で行なうことができること、また、この方法で、特にスイッチ位置の誤った解釈が回避されることが明らかとなる。
【図面の簡単な説明】
【図１】
ブロック回路図の様式で、第１の実施形に従った本発明による電気スイッチの異なった接続位置を示す。
【図２】
レベルトラックとしてポテンショメータ回路を有する本発明による電気スイッチの第２の実施形を示す。
【符号の説明】
１      電気スイッチ
２      スライダ
３      タップライン
４      タップライン
５      タップライン
６      Ａ／Ｄコンバータ
７      プロセッサユニット
８      記憶モジュール
９      評価ユニット
１０    プルアップ抵抗
Ａ１ 〜Ａ８     レベルトラック分岐
Ａ，Ｂ，Ｃ    デジタルコードトラック
Ｐ            レベルトラック
Ｗ１ 〜Ｗ６     プルダウン抵抗
【図１】
2004519173.tif 000004
【図２】
2004519173.tif 000005
【国際公開パンフレット】
2004519173.tif 000006
2004519173.tif 000007
2004519173.tif 000008
2004519173.tif 000009
2004519173.tif 000010
2004519173.tif 000011
2004519173.tif 000012
2004519173.tif 000013
2004519173.tif 000014
2004519173.tif 000015
2004519173.tif 000016
2004519173.tif 000017
2004519173.tif 000018
2004519173.tif 000019
【国際調査報告】
2004519173.tif 000020
2004519173.tif 000021
2004519173.tif 000022
2004519173.tif 000023